(57)【要約】【課題】宅内に設置された宅内機器の制御する宅内中継機器は、広域ネットワーク上の携帯端末の動作状態を検知する。【解決手段】広域ネットワーク上に設置されたセンタサーバ３００において、携帯機器と通信する通信部３１０と、制御コマンドを生成する制御部３２０と、ローカルネットワーク内で動作する機器に関する情報を管理する記憶部３４０と、ローカルネットワーク内で動作させるかどうかを判定する機器管理部３３０を備える。【選択図】図２
2014036242.tif 000002
【特許請求の範囲】
【請求項１】
広域ネットワークに接続された機器から、ローカルネットワーク内で動作する機器を制御する方法であって、
広域ネットワークに接続された携帯機器において、
ローカルネットワーク内で動作する機器の制御項目を表示する表示部１と、
ローカルネットワーク内で動作する機器へ制御を受け付ける操作部１と、
操作部より受け付けた操作を表す制御信号１と、
制御信号を生成する制御部１と、
制御信号を広域ネットワーク上のサーバへ送信する通信部１を備え、
広域ネットワーク上に設置されたサーバにおいて、
携帯機器と通信する通信部２と、
制御信号よりローカルネットワーク内で動作する機器を動作させるための制御コマンド２と、
制御コマンドを生成する制御部２と、
ローカルネットワーク内で動作する機器に関する機器情報２と、
機器情報２を管理する記憶部２と、
操作信号１と機器情報２によりローカルネットワーク内で動作させるかどうかを判定する機器管理部を備え、
ローカルネットワークに設置される宅内中継器において、
サーバおよび、ローカルネットワーク内で動作する機器と通信する通信部３と、
制御コマンドに応じた動作を実行する制御部３と、
ローカルネットワークに設置される機器の状態を示す機器情報３と、
機器情報３を管理する記憶部を備え、
宅内中継器で実行された制御コマンドに応じた動作を行うローカルネットワーク内で動作する宅内機器を備える遠隔制御システム。
【請求項２】
前記携帯機器の通信部は、宅内中継器を含むローカルネットワーク内で動作する機器と直接通信する請求項１に記載の遠隔制御システム。
【請求項３】
前記携帯機器の制御部１は、制御信号よりローカルネットワーク内で動作する機器を動作させるための制御コマンド２生成する請求項１または２に記載の遠隔制御システム。
【請求項４】
前記携帯機器の表示部１がローカルネットワーク内で動作する機器の制御項目の表示に伴い、
ローカルネットワーク内で動作する機器を示す識別番号１と
識別番号１をより、制御信号を生成する請求項１から３のいずれか１項に記載の遠隔制御システム。
【請求項５】
前記サーバの機器管理部は、識別番号１を含む制御信号と、
機器情報２によりローカルネットワーク内で動作させるかどうかを判定する請求項１から４のいずれか１項に記載の遠隔制御システム。
【発明の詳細な説明】
【技術分野】
【０００１】
本発明は、宅内に設置された宅内機器などを携帯端末から遠隔制御する遠隔制御システムに関するものである。
【背景技術】
【０００２】
従来、この種の遠隔制御システムは、インターネットや携帯電話通信網といった広域ネットワークと宅内に設置されたローカルネットワークとを取り次ぐ宅内中継器を設置し、宅内中継器がインターネット上の特定のサーバにポーリング通信をする事により、広域網に流れる宅内機器の制御信号を取得し、宅内中継器が管理する宅内機器に送信する事で遠隔操作を実現していた（例えば、特許文献１参照）。
【先行技術文献】
【特許文献】
【０００３】
【特許文献１】特開２００４−２８０７１７号公報
【発明の概要】
【発明が解決しようとする課題】
【０００４】
しかしながら、上記従来の構成では、携帯端末から宅内機器へ向けて制御信号が発信されたことを宅内中継器がすぐに把握することができず、実際に制御信号を宅内中継器が取得するまで、最大ポーリング周期分の遅延が生じてしまう。そして、その結果、宅内機器制御の応答が遅れるという課題を有していた。
【０００５】
本発明は、前記従来の課題を解決するもので、携帯端末でこれから宅内の宅内機器の制御を開始する事を検知し、予め、宅内中継器に通知する事で制御への応答速度を向上させる遠隔制御システムを提供することを目的とする。
【課題を解決するための手段】
【０００６】
前記従来の課題を解決するために、本発明の遠隔制御システムは、広域ネットワークに接続された機器から、ローカルネットワーク内で動作する機器を制御する方法であって、広域ネットワークに接続された携帯機器において、ローカルネットワーク内で動作する機器の制御項目を表示する表示部１と、ローカルネットワーク内で動作する機器へ制御を受け付ける操作部１と、操作部より受け付けた操作を表す制御信号１と、制御信号を生成する制御部１と、制御信号を広域ネットワーク上のサーバへ送信する通信部１を備え、広域ネットワーク上に設置されたサーバにおいて、携帯機器と通信する通信部２と、制御信号よりローカルネットワーク内で動作する機器を動作させるための制御コマンド２と、制御コマンドを生成する制御部２と、ローカルネットワーク内で動作する機器に関する機器情報２と、機器情報２を管理する記憶部２と、操作信号１と機器情報２によりローカルネットワーク内で動作させるかどうかを判定する機器管理部を備え、ローカルネットワークに設置される宅内中継器において、サーバおよび、ローカルネットワーク内で動作する機器と通信する通信部３と、制御コマンドに応じた動作を実行する制御部３と、ローカルネットワークに設置される機器の状態を示す機器情報３と、機器情報３を管理する記憶部を備え、宅内中継器で実行された制御コマンドに応じた動作を行うローカルネットワーク内で動作する宅内機器を備えたものである。
【０００７】
これにより、宅内に設置された宅内中継器が携帯端末による宅内機器制御の開始タイミングを検知する事が可能となり、サーバとの通信周期を変更する事で従来発生していた通信遅延を解消する事ができる。
【発明の効果】
【０００８】
本発明の遠隔制御システムは、携帯端末を操作するユーザに対し宅内機器制御に対する応答速度を向上する事で、制御結果を即座に提示する事ができる。
【図面の簡単な説明】
【０００９】
【図１】本発明における遠隔制御システムの全体システム構成図
【図２】（ａ）本発明における遠隔制御システムの宅内機器１００のブロック図（ｂ）本発明における遠隔制御システムの宅内中継器２００のブロック図（ｃ）本発明における遠隔制御システムのセンタサーバ３００のブロック図（ｄ）本発明における遠隔制御システムの携帯端末４００のブロック図
【図３】本発明の実施例における宅内機器制御開始の検知方法を示すフローチャート
【図４】本発明の実施例における処理方法を示すフローチャート
【発明を実施するための形態】
【００１０】
第１の発明は、携帯端末でこれから宅内の宅内機器の制御を開始する事を検知し、予め、宅内中継器に通知する遠隔制御システムである。
【００１１】
これによって、宅内の宅内機器の制御への応答速度を向上させる事ができる。
【００１２】
第２の発明は、特に、第１の発明において、携帯端末が制御時に宅内の宅内機器との導通確認を行った上で直接宅内中継器へ宅内の宅内機器への制御信号を送信するものである。
【００１３】
これによって、確実に宅内機器を制御できかつ、制御への応答速度をさらに向上できる。
【００１４】
以下、本発明の実施の形態について、図面を参照しながら説明する。なお、この実施の形態によって本発明が限定されるものではない。
【００１５】
（実施の形態１）
図１に示す通信システムは、宅内機器１００と、宅内中継器２００、センタサーバ３００、及び携帯端末４００により構成される。
【００１６】
宅内機器１００は、宅内に設置される宅内機器であり、例えば空調機器、冷凍冷蔵庫、炊飯器、オーブンレンジ又は洗濯乾燥機などである。そして、後に説明するように宅内機器１００は通信部１２０（宅内中継器２００と無線通信が可能な通信装置）を内蔵もしくは通信部と有線で接続されている。
【００１７】
宅内中継器２００は、宅内に設置される単数、複数の宅内機器１００と無線通信が可能であり、かつネットワークを介してセンタサーバ３００と通信可能な通信機器であり、例えばゲートウェイである。さらに、宅内中継器２００はネットワークを介して、あるいは直接的に携帯端末４００と通信可能に接続されている。
【００１８】
センタサーバ３００は、ネットワークを介して宅内中継器２００や携帯端末４００と通信が可能である。また、センタサーバ３００はネットワークを介して宅内中継器２００と通信を行う。
【００１９】
携帯端末４００は、宅内中継器２００やセンタサーバ３００と通信可能な通信装置であり、例えば携帯電話や携帯可能な情報端末で構成される。
【００２０】
次に、宅内機器１００と、宅内中継器２００、センタサーバ３００、携帯端末４００のそれぞれの構成を図２（ａ）〜図２（ｄ）に示す。
【００２１】
宅内機器１００は図２（ａ）に示す通り、操作部１１０、通信部１２０、記憶部１３０、制御部１４０から構成される。
【００２２】
操作部１１０は、宅内機器１００の運転に関する設定を入力するための機構であり、例えば宅内機器１００の表面に設けられた操作パネルである。また、赤外線リモコン（図示せず）から入力される操作信号を受信する受光部である。
【００２３】
通信部１２０は、宅内中継器２００と通信するための機構であり、イーサネット（登録商標）ＬＡＮなどの有線通信もしくは、無線ＬＡＮやＺｉｇＢｅｅ（登録商標）、特定小電力無線などにより無線通信を行う。また、図２（ａ）では通信部１２０は宅内機器１００に内蔵されているが、通信部１２０は宅内機器１００と別体に構成され、宅内機器１００と有線接続してもよい。
【００２４】
記憶部１３０は、宅内中継器２００のＩＤ（図２（ａ）ではＩＤ＿ＲＴ０１と表記）を記憶しており、宅内中継器２００と通信を行う際に読み込む。宅内中継器２００のＩＤは単数もしくは複数を記憶することができ、例えば宅内に２台の宅内中継器２００がある場合は２台分のＩＤを記憶することができる。また、宅内中継器２００のＩＤを複数記憶しておき、通常は１番目に記憶されている宅内中継器２００のＩＤを用いて通信し、その通信が通信障害などの理由で成立しない場合に２番目に記憶されている宅内中継器２００のＩＤを用いて通信するようにしてもよい。さらに、記憶部１３０は通信部１２０と内部モジュールとして構成されていてもよい。この場合、前記通信部１２０に示す通り有線接続により宅内機器１００と別体に構成されもよい。
【００２５】
制御部１４０は、宅内機器１００本来の運転制御に限らず、通信部１２０を介した通信に関する制御を行う。
【００２６】
また、通信部１２０、記憶部１３０及び制御部１４０は、宅内機器１００から独立可能な回路であってもよい。例えば、記憶部１３０を接続するコネクタなどのインターフェースを備える宅内機器１００に後から接続する事で宅内中継器２００と通信する機能を拡張できる事が可能となる。
【００２７】
宅内中継器２００は図２（ｂ）に示す通り、通信部２１０、記憶部２２０、制御部２３０から構成される。
【００２８】
通信部２１０は、宅内機器１００と通信するための機構であり、イーサネット（登録商標）ＬＡＮなどの有線通信もしくは、無線ＬＡＮやＺｉｇＢｅｅ（登録商標）、特定小電力無線などにより無線通信を行う。また、通信部２１０はネットワークを介してセンタサーバ３００と通信するための機構であり、イーサネット（登録商標）ＬＡＮなどの有線通信により実現する。さらに、通信部２１０は携帯端末４００と無線通信するための機構であり、Ｗｉ−Ｆｉ（登録商標）などの無線ＬＡＮやＺｉｇＢｅｅ（登録商標）、特定小電力無線などにより無線通信を行う。
【００２９】
記憶部２２０は、通信可能なセンタサーバ３００のＩＤ（図２（ｂ）ではＩＤ＿ＳＳ０１と表記）、事前登録された宅内機器１００のＩＤ（図２（ｂ）ではＩＤ＿ＨＡ０１、ＩＤ＿ＨＡ０２と表記）及びセンタサーバへのポーリング通信の送信時間間隔（図２（ｂ）では１０秒と表記）を記憶している。記憶部２２０は、いずれのＩＤも単数もしくは複数
を記憶することができるものとする。
【００３０】
制御部２３０は、通信部２１０を介した通信に関する制御を行う。
【００３１】
センタサーバ３００は図２（ｃ）に示す通り、通信部３１０、制御部３２０、機器管理部３３０、記憶部３４０から構成される。
【００３２】
通信部３１０は、ネットワークを介して宅内中継器２００、携帯端末４００と通信するための機構であり、イーサネット（登録商標）ＬＡＮなどの有線通信により実現する。なお、センタサーバ３００と携帯端末４００とは直接通信せず、途中に基地局を介して行われることは言うまでもない。
【００３３】
記憶部３４０は、登録されているユーザのＩＤ、事前登録された宅内中継器２００のＩＤ、その宅内中継器２００が通信可能な宅内機器１００のＩＤ、宅内機器１００の現在の状態、その宅内機器１００に対してセンタサーバ３００が送信したい信号があるか否かを示す情報（図２（ｃ）ではセンタサーバ要求有／無と表記）を記憶している。
【００３４】
”宅内機器１００の状態”は、宅内機器１００が稼動しているのか、停止しているのかといった状態を示すもので、特に稼動している場合であればより詳細な情報（設定温度や運転モードの内容、エアコンであれば風向情報や風の強さ情報など、あらゆる宅内機器１００に関する運転情報）を記憶している。こうした宅内機器１００に関する情報は、定期的に宅内機器１００が宅内中継器２００を介してセンタサーバ３００へ通知するようにしてもよいし、あるいは宅内機器１００の状態が変化したタイミングで宅内中継器２００を介してセンタサーバ３００へ通知するようにしてもよい。
【００３５】
”センタサーバ要求有／無”は、例えば携帯端末４００から宅内機器１００に対する遠隔制御命令が保存されている場合には有ることを示す情報、センタサーバ３００に遠隔制御命令が保存されていない場合には無いことを示す情報を記憶する。
【００３６】
なお、図示していないが、記憶部３４０は、携帯端末４００のＩＤを記憶してもよい。携帯端末４００のＩＤを記憶することで、携帯端末４００から宅内機器１００に対する遠隔制御命令が行われた場合、センタサーバ３００は遠隔制御を命令した携帯端末のＩＤと、予め記憶されているＩＤとを比較し、一致した場合にのみ遠隔制御命令を受け付けることができる。
【００３７】
制御部３２０は、通信部３１０を介した通信に関する制御を行う。
【００３８】
機器管理部３３０は、記憶部３４０と連携し、通信先の宅内機器ＩＤや宅内中継器ＩＤ、ユーザＩＤなどを特定する。
【００３９】
携帯端末４００は図２（ｄ）に示す通り、通信部４１０、操作部４２０、表示部４３０、記憶部４４０、制御部４５０から構成される。
【００４０】
通信部４１０は、宅内中継器２００と無線通信するための機構であり、Ｗｉ−Ｆｉ（登録商標）などの無線ＬＡＮやＺｉｇＢｅｅ（登録商標）、特定小電力無線などにより無線通信を行う。また、通信部４１０は、基地局を介してセンタサーバ３００と通信するための機構であり、イーサネット（登録商標）ＬＡＮなどの有線通信により実現する。
【００４１】
操作部４２０は、例えばタッチパネルや操作キーなどで構成され、ユーザによる入力操作を受け付ける。
【００４２】
表示部４３０は、例えば液晶表示装置で構成され、様々な表示画面を表示する。表示部４３０は、宅内または宅外から遠隔操作する対象である宅内機器１００を選択するための項目を含む機器選択画面や、宅内機器１００の設定を入力するための設定入力画面に遷移するための項目を含むメニュー画面や、宅内機器１００の設定を入力するための設定入力画面などを表示する。
【００４３】
記憶部４４０は、事前に登録されたセンタサーバ３００のＵＲＬ、事前登録された宅内機器１００のＩＤを記憶している。センタサーバ３００のＵＲＬ及び宅内機器１００のＩＤはそれぞれ単数もしくは複数を記憶することができる。また、宅内機器１００のＩＤは事前にセンタサーバ３００へアクセスする事で取得したものを用いてもよい。
【００４４】
制御部４５０は、通信部４１０、操作部４２０、表示部４３０、記憶部４４０に関する種々の制御を行う。
【００４５】
次に、携帯端末４００から宅内機器１００へ遠隔操作、設定が行われる手順を図３を用いて説明するが、最初に宅内中継器２００とセンタサーバ３００との間で行われるポーリング通信について説明する。
【００４６】
ポーリング通信は、宅内中継器２００から一定間隔（例えば１０秒）でセンタサーバ３００に対して行われる。センタサーバ３００が宅内機器１００に送信すべき信号が発生した場合、宅内中継器２００はポーリング通信によってその事を把握し、宅内中継器２００からセンタサーバ３００へ信号を取得するのである。
【００４７】
まず、携帯端末４００の操作部４２０を介して宅内機器１００への操作内容を入力する（ステップＳ３０１）。なお、操作内容の入力として、ユーザ操作により特定の宅内機器１００を表すアイコンを選択する事や、文字リスト内から選択する事も含まれる。さらに、携帯端末４００が収集可能な位置情報、時間情報、個人や場所を特定するための画像情報、操作を表すジェスチャー情報、音声情報、携帯端末の姿勢情報、温度や湿度といった環境情報から制御する宅内機器１００が自動決定される場合も含むものとする。
【００４８】
ステップＳ３０１により操作内容が入力されると、それに連動して携帯端末４００の通信部４１０は制御機器指定通知を送信し、センタサーバ３００の通信部３１０は制御機器指定通知を受信する（ステップＳ３０２）。ここで、制御機器指定通知には、少なくとも宅内機器１００のＩＤが含まれている。また、制御機器指定通知にはユーザＩＤが付加されてもよいが、携帯端末４００を起動する際（例えばログイン時）にユーザＩＤが入力されるので、そこで入力されたユーザＩＤを携帯端末４００で記憶しておいてもよい。
【００４９】
通信部３１０が制御機器指定通知を受信すると、制御部３２０は機器管理部３３０に対し、制御機器指定通知に含まれる宅内機器ＩＤによって特定される宅内機器１００との間をとりもつ宅内中継器２００、ユーザＩＤを特定する要求を発信する（ステップＳ３０３）。
【００５０】
そして、機器管理部３３０は、記憶部３４０に記憶された内容から、宅内機器ＩＤに関連して記憶されるユーザＩＤと、宅内中継器２００のＩＤを特定し（ステップＳ３０４）、ユーザＩＤと宅内中継器ＩＤを制御部３２０へ通知する。なお、ステップＳ３０４において宅内機器ＩＤに関連して記憶されるユーザＩＤや宅内中継器ＩＤが記憶されていない場合は、宅内機器１００が制御不可であることを携帯端末４００へ通知するようにする。
【００５１】
制御部３２０は、宅内中継器２００のＩＤを機器管理部３３０から受信すると、以降の
宅内機器１００への制御に備え、宅内中継器２００との通信を密に行うためにポーリング周期変更コマンドを作成する（ステップＳ３０５）とともに、記憶部３４０の宅内機器ＩＤに対応するセンタサーバ要求有無のフラグを”有”に更新する。
【００５２】
制御部３２０がセンタサーバ要求有無のフラグを有に更新した後、最初に発生する宅内中継器２００のポーリングを受信した通信部３１０は、ポーリングを受信したことを通知するポーリング受信通知を制御部３２０へ発信する（ステップＳ３０６）。この後センタサーバ３００は、次回の宅内中継器２００からのポーリング通信を受けるまで待ち受け状態となる。
【００５３】
ステップＳ３０６後初めのポーリング通信により宅内中継器２００は、センタサーバ３００からセンタサーバ要求有無のフラグが有となっている事を検知する、続いてポーリング周期変更コマンドを取得し、記憶部２２０に記憶されているポーリング通信の送信時間間隔の値を更新する。更新以降は、新しく設定されたポーリング周期（例えば５秒）毎に宅内中継器２００からセンタサーバ３００へ通信が行われる。
【００５４】
ここで、通信部３１０は携帯端末４００による宅内機器１００の操作が一通り完了した事が携帯端末４００から通知されるまで待機しており、完了した事を示す通知を通信部３１０が受信した場合は、制御部３２０は携帯端末４００からの操作入力が完了したと判断する（ステップＳ３０７）。
【００５５】
完了を判断した制御部３２０は、宅内中継器２００に対して再びポーリング周期変更要求を通知する。制御部３２０は、Ｓ３０４及びＳ３０５と同様にポーリング周期変更コマンドを生成し、元のポーリング周期（１０秒）へ戻すように設定する。
【００５６】
なお、ポーリング周期を元の周期に戻す場合は、センタサーバ３００が自動（例えばステップＳ３０１の時点から１５分後）でポーリング周期変更要求を生成し宅内中継器２００へ設定してもよい。また、宅内中継器２００自体が電源オン、オフに伴う再起動のタイミングで宅内中継器２００内部の設定を戻してもよいものとする。
【００５７】
以上よって、センタサーバ３００から宅内機器１００への信号の伝送が達成される。
［図４の説明］
次に、携帯端末４００と宅内中継器２００が直接通信可能な場合において携帯端末４００から宅内機器１００へ遠隔操作、設定が行われる手順を図４とともに説明する。
【００５８】
まず、携帯端末４００は周囲の宅内中継器２００に対して問合せ信号（以下、ＢＳ信号と表記）をブロードキャストする（ステップＳ４０１）。ＢＳ信号には、少なくとも携帯端末４００のＩＤが含まれている。また、ＢＳ信号にはサービス種別を表すサービスＩＤが含まれていてもよい。これにより、宅内に複数ある機器の中から特定のサービスだけに注目したサービス種別を付与して機器検索をする事が可能であり、検索に要する時間や通信トラフィックを軽減できる。
【００５９】
ＢＳ信号を受信した宅内中継器２００は、ＢＳ信号に含まれる宅内機器１００のＩＤに対し応答信号（以下、ＡＣＫ＿ＢＳ信号と表記）を返信する（ステップＳ４０２）。ここで、ＡＣＫ＿ＢＳ信号には、少なくともＡＣＫ＿ＢＳ信号を送信する宅内中継器２００のＩＤが含まれている。なお、宅内中継器２００のＩＤには、ＩＰアドレス、前記サービス種別、製品番号、メーカ種別、端末名といった通信の宛先を特定する情報が含まれているものとする。
【００６０】
ＡＣＫ＿ＢＳ信号を受信した携帯端末４００は、ＡＣＫ＿ＢＳ信号を送信した宅内中継
器２００に対して疎通確認要求信号（以下、ＣＳ２信号と表記）を送信する（ステップＳ４０３）。ＣＳ２信号には、少なくとも宅内中継器２００のＩＤ、制御内容を示す情報、制御対象となっている宅内機器１００のＩＤが含まれている。
【００６１】
宅内中継器２００はＣＳ２信号を受信すると、記憶部２２０に記憶されているすべての宅内機器ＩＤの中で一致するものがあるかどうかを確認する。そして、一致するものがあれば、応答信号としてＡＣＫ＿ＣＳ２信号を返信する（ステップＳ４０４）。この時、宅内機器ＩＤが一致しない場合はＡＣＫ＿ＣＳ２信号には不可応答が返却される。不可応答が含まれるＡＣＫ＿ＣＳ２信号を受信した携帯端末４００は次に機器検索応答をしている宅内中継器２００に対し順次疎通確認要求を送信していく。
【００６２】
ＡＣＫ＿ＣＳ２信号を受信した携帯端末４００は、制御対象となっている宅内機器１００に対して確認信号（以下、ＡＩＳ信号と表記）を送信し、制御対象となっている宅内機器１００からの応答信号（以下、ＡＣＫ＿ＡＩＳ信号と表記）を携帯端末４００に返信する（ステップＳ４０５）。ここで、ＡＩＳ信号には、少なくとも制御対象となっている宅内機器１００のＩＤが含まれている。また、宅内中継器２００が確認信号を直ちに受信できない場合は、確認中を示す信号を返却してもよい。その場合、携帯端末４００は、所定時間内、宅内中継器２００に対し繰り返し疎通確認コマンドを送信し確認信号を受取るまでの猶予期間を設けることができる（ステップＳ４０６）。
【００６３】
携帯端末４００は、宅内中継器２００から所定時間内にＡＣＫ＿ＡＩＳ信号を受信できれば、その宅内中継器２００を以降の宅内機器１００制御を行うための送信先として確定する（ステップＳ４０７）。ここで、一度宅内機器１００を登録した後は、携帯端末４００は宅内中継器２００のＩＤを以降記憶することで、再び制御を行う場合のステップＳ４０１やＳ４０２の処理を短縮してもよい。また、宅内機器１００との導通確認を確実に担保するために、Ｓ４０２の処理だけを実施してもよい。
【００６４】
以上の手順の通り、宅内中継器２００は携帯端末４００からの制御信号を制御対象となっている宅内機器１００へ送信する前にＡＩＳ信号を送信することで、制御信号が宅内機器１００へ確実に送信できるようになる。
【００６５】
また、本遠隔制御システムを構成する宅内中継器２００は複数の宅内機器１００のＩＤを記憶する領域を保持するため、宅内中継器２００が記憶するすべての宅内機器１００が動作可能か否かを確認するためには、定常的に宅内機器１００と通信を繰り返す必要があり、余分な待機電力や通信トラフィックが発生する可能性がある。本実施の形態２に示す通り、制御に先立ってステップＳ４０３行う事により、宅内中継器２００は、低コストな運転が可能となり、かつ携帯端末４００から宅内機器１００を制御する際は、確実に制御コマンドが宅内機器１００へ到達するための経路を確保する事ができる。
【産業上の利用可能性】
【００６６】
以上のように、本発明にかかる遠隔制御システムは、携帯端末を操作するユーザに対し宅内機器制御に対する応答速度を向上する事で、制御結果を即座に提示する事ができる。
【符号の説明】
【００６７】
１００  宅内機器
２００  宅内中継器
３００  センタサーバ
４００  携帯端末
１１０  操作部
１２０  通信部
１３０  記憶部
１４０  制御部
２１０  通信部
２２０  記憶部
２３０  制御部
３１０  通信部
３２０  制御部
３３０  機器管理部
３４０  記憶部
４１０  通信部
４２０  操作部
４３０  表示部
４４０  記憶部
４５０  制御部
【図１】
2014036242.tif 000003
【図２】
2014036242.tif 000004
【図３】
2014036242.tif 000005
【図４】
2014036242.tif 000006